(57)【要約】【課題】情報コードの読取領域に翳すべき情報コードを誤認する利用者の増加を抑え、かつ情報コードを読取領域に適正に翳していない利用者に対して案内が行える技術を提供する。【解決手段】乗車券１には、第１の情報を示す２次元コード２と、第２の情報を示す２次元コード３とが形成されている。２次元コード２は、第１の波長の光が照射されると、照射された第１の波長の光を反射し、かつ第２の波長の光が照射されると、照射された第２の波長の光を反射する光学特性を有する。２次元コード３は、第１の波長の光が照射されると、照射された第１の波長の光の反射を妨げ、かつ第２の波長の光が照射されると、照射された第２の波長の光を反射する光学特性を有する。第１の波長と、第２の波長とは異なる波長である。【選択図】図４
2017224122.tif 000002
【特許請求の範囲】
【請求項１】
第１の情報を示す第１の情報コードと、第２の情報を示す第２の情報コードとが形成され、
前記第１の情報コードは、第１の波長の光が照射されると、照射された前記第１の波長の光を反射し、かつ前記第１の波長とは異なる第２の波長の光が照射されると、照射された前記第２の波長の光を反射する光学特性を有し、
前記第２の情報コードは、前記第１の波長の光が照射されると、照射された前記第１の波長の光の反射を妨げ、かつ前記第２の波長の光が照射されると、照射された前記第２の波長の光を反射する光学特性を有する、情報媒体。
【請求項２】
前記第１の情報コードと、前記第２の情報コードとは、異なる面に形成されている、請求項１に記載の情報媒体。
【請求項３】
前記第１の情報コードが示す前記第１の情報は、当該第１の情報コードが形成されている前記情報媒体の属性を示す属性情報を含む、請求項１、または２に記載の情報媒体。
【請求項４】
前記第２の情報コードが示す前記第２の情報は、他の前記情報媒体との間で共通し、予め定めた特定の情報である、請求項１〜３のいずれかに記載の情報媒体。
【請求項５】
前記第１の情報コードの一部を覆う第１の被覆部が形成され、
前記第１の被覆部は、前記第２の波長の光を透過させ、前記第１の波長の光の透過を妨げる光学特性を有する、請求項１〜４のいずれかに記載の情報媒体。
【請求項６】
前記第２の情報コードを覆う第２の被覆部が形成され、
前記第２の被覆部は、前記第２の波長の光を透過させ、前記第１の波長の光の透過を妨げる光学特性を有する、請求項１〜４のいずれかに記載の情報媒体。
【請求項７】
前記第１の情報コードの一部を覆う第１の被覆部、および前記第２の情報コードを覆う第２の被覆部が形成され、
前記第１の被覆部、および前記第２の被覆部は、前記第２の波長の光を透過させ、前記第１の波長の光の透過を妨げる光学特性を有する、請求項１〜４のいずれかに記載の情報媒体。
【請求項８】
前記第１の情報コード、および前記第２の情報コードは、２次元コードである、請求項１〜７のいずれかに記載の情報媒体。
【請求項９】
前記第１の波長の光は、可視光であり、
前記第２の波長の光は、可視光でない、請求項１〜８のいずれかに記載の情報媒体。
【請求項１０】
請求項１〜９のいずれかに記載の情報媒体を処理する情報媒体処理装置であって、
前記第１の波長の光を前記情報媒体の読取領域に照射する第１の照明部と、
前記第２の波長の光を前記情報媒体の前記読取領域に照射する第２の照明部と、
前記読取領域を撮像する撮像部と、
前記第１の照明部が前記第１の波長の光を前記情報媒体の前記読取領域に照射しているときに、前記撮像部によって撮像した前記読取領域の撮像画像、および前記第２の照明部が前記第２の波長の光を前記情報媒体の前記読取領域に照射しているときに、前記撮像部によって撮像した前記読取領域の撮像画像を処理し、前記読取領域に翳された情報コードが、前記第１の情報コードであるか、前記第２の情報コードであるかを判定する判定部と、を備えた情報媒体処理装置。
【請求項１１】
前記判定部によって、前記読取領域に翳された情報コードが前記第１の情報コードであると判定されたとき、この第１の情報コードが示す第１の情報を用いて前記情報媒体を処理する媒体処理部と、
前記判定部によって、前記読取領域に翳された情報コードが前記第２の情報コードであると判定されたとき、前記第１の情報コードを前記読取領域に翳すことを案内する案内部と、を備えた請求項１０に記載の情報媒体処理装置。
【請求項１２】
請求項１〜９のいずれかに記載の情報媒体を処理する情報媒体処理装置であって、
前記第２の波長の光を前記情報媒体の読取領域に照射する照明部と、
前記読取領域を撮像する撮像部と、
前記照明部が前記第２の波長の光を前記情報媒体の前記読取領域に照射しているときに、前記撮像部によって撮像した前記読取領域の撮像画像を処理し、前記読取領域に翳された情報コードが、前記第１の情報コードであるか、前記第２の情報コードであるかを判定する判定部と、を備えた情報媒体処理装置。
【請求項１３】
請求項１〜９のいずれかに記載の情報媒体を処理する情報媒体処理方法であって、
第１の照明部が前記第１の波長の光を前記情報媒体の読取領域に照射しているときに、撮像部によって前記読取領域を撮像する第１の撮像ステップと、
第２の照明部が前記第２の波長の光を前記情報媒体の読取領域に照射しているときに、撮像部によって前記読取領域を撮像する第２の撮像ステップと、
前記第１の撮像ステップで撮像した撮像画像、および前記第２の撮像ステップで撮像した撮像画像を処理し、前記読取領域に翳された情報コードが、前記第１の情報コードであるか、前記第２の情報コードであるかを判定する判定ステップ、を備えた情報媒体処理方法。
【請求項１４】
請求項１〜９のいずれかに記載の情報媒体を処理する情報媒体処理装置のコンピュータに実行させる情報媒体処理プログラムであって、
第１の照明部が前記第１の波長の光を前記情報媒体の読取領域に照射しているときに、撮像部によって前記読取領域を撮像する第１の撮像ステップと、
第２の照明部が前記第２の波長の光を前記情報媒体の読取領域に照射しているときに、撮像部によって前記読取領域を撮像する第２の撮像ステップと、
前記第１の撮像ステップで撮像した撮像画像、および前記第２の撮像ステップで撮像した撮像画像を処理し、前記読取領域に翳された情報コードが、前記第１の情報コードであるか、前記第２の情報コードであるかを判定する判定ステップ、をコンピュータに実行させる情報媒体処理プログラム。
【発明の詳細な説明】
【技術分野】
【０００１】
この発明は、２次元コード等の情報コードが形成された情報媒体、および情報媒体に形成されている情報コードが示す情報を読み取って処理する技術に関する。
【背景技術】
【０００２】
従来、情報記号の１つとして、ＱＲコード（登録商標）等の２次元コードがある。また、２次元コードの利用が、様々なシステムで検討されている。例えば、乗車券情報を示す２次元コードを形成した乗車券（キップ等）を発券し、この２次元コードが示す乗車券情報を自動改札機で読み取って改札処理を行う改札システムがある。２次元コードを一方の面（以下、表面と言う。）にのみ形成した乗車券（２次元コードを裏面に形成していない乗車券）を使用する改札システムでは、自動改札機は、改札通路を通行する利用者が乗車券の裏面を２次元コードの読取領域に翳しても、乗車券の裏面が翳されたことを検知することができない。したがって、自動改札機は、乗車券の裏面を翳した利用者を、乗車券を所持していない無札者と判定し、改札通路の通行を許可しない。すなわち、乗車券の裏面を２次元コードの読取領域に翳した利用者に対して、反対面を２次元コードの読取領域に翳すことを案内できない。
【０００３】
券売機等が、適当な間隔で裏面であることを示す２次元コードを裏面に形成したロール紙を用いて、乗車券を発券することが提案されている（特許文献１参照）。券売機等は、乗車券情報を示す２次元コードをロール紙の表面に印刷して乗車券を発券する。これにより、発券された乗車券には、乗車券情報を示す２次元コードが表面に形成され、裏面であることを示す２次元コードが裏面に形成されている。したがって、自動改札機は、改札通路を通行する利用者が乗車券の裏面を２次元コードの読取領域に翳すと、裏面であることを示す２次元コードを読み取るので、乗車券の裏面が翳されたことを検知することができる。したがって、乗車券の裏面を２次元コードの読取領域に翳した利用者に対して、反対面を２次元コードの読取領域に翳すことを案内できる。
【先行技術文献】
【特許文献】
【０００４】
【特許文献１】特開２０１４−１８２４３２号公報
【発明の概要】
【発明が解決しようとする課題】
【０００５】
しかしながら、特許文献１に記載された構成では、乗車券の表面、および裏面の両方に２次元コードが形成されているため、読取領域に翳す２次元コードを誤認する利用者を増加させる（読取領域に翳す２次元コードを、裏面に形成されている２次元コードであると誤認する利用者を増加させる。）。その結果、乗車券の裏面を２次元コードの読取領域に翳す利用者が増加し、改札処理の処理効率を低下させる。
【０００６】
この発明の目的は、情報コードの読取領域に翳すべき情報コードを誤認する利用者の増加を抑え、かつ情報コードを読取領域に適正に翳していない利用者に対する案内が行える技術を提供することにある。
【課題を解決するための手段】
【０００７】
この発明の情報媒体は、上述の目的を達するために以下のように構成している。
【０００８】
情報媒体には、第１の情報を示す第１の情報コードと、第２の情報を示す第２の情報コードとが形成されている。
【０００９】
第１の情報コードは、第１の波長の光が照射されると、照射された第１の波長の光を反射し、かつ第２の波長の光が照射されると、照射された第２の波長の光を反射する光学特性を有する。第２の情報コードは、第１の波長の光が照射されると、照射された第１の波長の光の反射を妨げ、かつ第２の波長の光が照射されると、照射された第２の波長の光を反射する光学特性を有する。第１の波長と、第２の波長とは、異なる波長である。
【００１０】
この構成によれば、第１の情報コードは、第１の波長の光を照射して情報を読み取ることができるが、第２の情報コードは、第１の波長の光を照射して情報を読み取ることができない。また、第１の情報コード、および第２の情報コードは、第２の波長の光を照射して情報を読み取ることができる。
【００１１】
特に、第１の波長の光は、可視光とし、第２の波長の光は、可視光でない光（赤外光や、紫外光）にするのがよい。このようにすると、第１の情報コードは視認しやすいが、第２の情報コードは視認しづらくなる。したがって、読取領域に翳すべき情報コードが第２の情報コードであると誤認する利用者の増加が抑えられる。また、第２の情報コードを読取領域に翳した利用者に対する案内も確実に行える。
【００１２】
また、情報媒体が、シート状の媒体やカード状の媒体（厚さが、数十μｍ〜数ｍｍの媒体）であれば、表面または裏面の一方の面に第１の情報コードを形成し、他方の面に第２の情報コードを形成するのが好ましい。また、情報媒体が、立体形状（例えば、６面体や８面体）であれば、１つ以上の面に第１の情報コードを形成し、１つ以上の面に第２の情報コードを形成するのが好ましい。但し、第１の情報コード、および第２の情報コードは、同一面に形成しないのがよい。
【００１３】
また、第１の情報は、媒体の属性を示す情報にし、第２の情報は、読取領域に翳すべき情報コードでないことを示す情報にすればよい。このようにすれば、第２の情報は、情報媒体間で同じ情報コードにできる。
【００１４】
また、この発明にかかる情報媒体処理装置は、この発明にかかる情報媒体を処理する。また、この情報媒体処理装置は、第１の波長の光を情報媒体の読取領域に照射する第１の照明部と、第２の波長の光を情報媒体の読取領域に照射する第２の照明部と、読取領域を撮像する撮像部と、第１の照明部が第１の波長の光を情報媒体の読取領域に照射しているときに、撮像部によって撮像した読取領域の撮像画像、および第２の照明部が第２の波長の光を情報媒体の読取領域に照射しているときに、撮像部によって撮像した読取領域の撮像画像を処理し、読取領域に翳された情報コードが、第１の情報コードであるか、第２の情報コードであるかを判定する判定部と、を備えている。
【００１５】
この構成によれば、情報コードの読取領域に翳すべき情報コードを誤認する利用者の増加を抑え、かつ情報コードを読取領域に適正に翳していない利用者に対する案内が行える。
【００１６】
また、情報媒体処理装置は、判定部によって、読取領域に翳された情報コードが第１の情報コードであると判定されたとき、この第１の情報コードが示す第１の情報を用いて情報媒体を処理する媒体処理部と、判定部によって、前記読取領域に翳された情報コードが第２の情報コードであると判定されたとき、第１の情報コードを前記読取領域に翳すことを案内する案内部と、を備える構成にしてもよい。
【００１７】
また、この発明にかかる情報媒体処理装置は、第２の波長の光を情報媒体の読取領域に照射する照明部と、読取領域を撮像する撮像部と、照明部が第２の波長の光を情報媒体の読取領域に照射しているときに、撮像部によって撮像した読取領域の撮像画像を処理し、読取領域に翳された情報コードが、第１の情報コードであるか、第２の情報コードであるかを判定する判定部と、を備える構成にしてもよい。
【００１８】
この構成でも、情報コードの読取領域に翳すべき情報コードを誤認する利用者の増加を抑え、かつ情報コードを読取領域に適正に翳していない利用者に対する案内が行える。
【発明の効果】
【００１９】
この発明によれば、情報コードの読取領域に翳すべき情報コードを誤認する利用者の増加を抑えられる。また、情報コードを読取領域に適正に翳していない利用者に対する案内が行える。
【図面の簡単な説明】
【００２０】
【図１】改札システムの概略図である。
【図２】券売機の主要部の構成を示すブロック図である。
【図３】図３（Ａ）は発券部を説明する図であり、図３（Ｂ）はロール氏の裏面を示す図である。
【図４】図４（Ａ）、（Ｂ）は、乗車券の表面、および裏面を示す図である。
【図５】図５（Ａ）、（Ｂ）は、乗車券の表面の２次元コードに被覆部を形成した例を示す図である。
【図６】図６（Ａ）、（Ｂ）、（Ｃ）は、乗車券の裏面の２次元コードに被覆部を形成した例を示す図である。
【図７】自動改札機の主要部の構成を示すブロック図である。
【図８】出場用ユニットの駅構内から出場する利用者にとっての改札通路入口付近の拡大図である。
【図９】読取ユニットの構成を示すブロック図である。
【図１０】自動改札機の改札処理を示すフローチャートである。
【図１１】２次元コード読取処理を示すフローチャートである。
【図１２】別の例にかかる２次元コード読取処理を示すフローチャートである。
【図１３】別の例にかかる２次元コード読取処理を示すフローチャートである。
【発明を実施するための形態】
【００２１】
以下、この発明の実施形態について説明する。
【００２２】
図１は、この例にかかる改札システムの概略図である。この改札システムは、利用者に対して乗車券１（１ａ、１ｂ）を発券する券売機１０と、利用者に対して改札処理を行う自動改札機５と、を備える。図１では、自動改札機５、および券売機１０を３台ずつ示しているが、これらの台数はいくつであってもよい。券売機１０は、駅の改札口近くに設置される。自動改札機５は、駅の改札口に設置される。乗車券１がこの発明で言う情報媒体に相当する。また、自動改札機５が、この発明で言う情報媒体処理装置を備える。
【００２３】
図２は、券売機の主要部の構成を示すブロック図である。券売機１０は、制御部１０１と、表示部１０２と、操作部１０３と、発券部１０４と、硬貨処理部１０５と、紙幣処理部１０６と、無線通信部１０７と、通信部１０８と、を備えている。この券売機１０は、キップ１ａや１日乗車券１ｂ等を乗車券１として発券する。以下の説明では、キップ１ａ、１日乗車券１ｂ等を区別しないときは、単に乗車券１と言う。また、ここでは特に説明しないが、券売機１０は、ＩＣカードに対するチャージ（入金）等の処理も行える。ＩＣカードに対するチャージ（入金）等の処理は、すでに公知である。
【００２４】
制御部１０１は、券売機１０本体各部の動作を制御する。表示部１０２は、本体正面に設けた表示器を有し、この表示器における画面表示を制御する。操作部１０３は、表示器の画面上に貼付したタッチパネルや、テンキー等を有するキー操作部等の入力デバイスを有する。操作部１０３は、入力デバイスにおける利用者の入力操作を検出し、これを制御部１０１に通知する。
【００２５】
発券部１０４は、乗車券１を発券する。券売機１０は、発券口やカード挿入／放出口等を本体正面に設けている。発券部１０４は、利用者に対して発券する乗車券１を発券口に放出する。また、発券部１０４は、カード挿入／放出口に挿入されたＩＣカードを取り込み、このＩＣカードに記録されているカードデータの読み取りや、このカードに対するカードデータの書き込み（カードデータの更新）等を行い、その後、利用者に返却するために、カード挿入／放出口に放出する。無線通信部１０７が、ＩＣカードに記録されているカードデータの読み取りや、このカードに対するカードデータの書き込みを、このＩＣカードとの無線通信により実行する。
【００２６】
硬貨処理部１０５は、乗車券１の発券等にかかる取引金額の精算に用いる硬貨を受け付けるとともに、利用者に対して釣銭硬貨の放出を行う。券売機１０は、投入硬貨受皿、および釣銭硬貨受皿を本体正面に設けている。硬貨処理部１０５は、利用者が投入した投入硬貨や、利用者に対して釣銭として放出する釣銭硬貨について、金種や真偽を識別する硬貨識別部（不図示）を有している。
【００２７】
紙幣処理部１０６は、乗車券の発券等にかかる取引金額の精算に用いる紙幣を受け付けるとともに、利用者に対して釣銭紙幣の放出を行う。券売機１０は、紙幣挿入口、および紙幣放出口を本体正面に設けている。紙幣処理部１０６は、紙幣挿入口において利用者が挿入した投入紙幣や、利用者に対して放出する釣銭紙幣について、金種や真偽を識別する紙幣識別部（不図示）を有している。
【００２８】
通信部１０８は、ネットワークを介して、自動改札機５や駅サーバ（不図示）等の他の駅務機器と通信する。
【００２９】
ここで、発券部１０４における乗車券１の発券について説明する。図３（Ａ）は、発券部を説明する図であり、図３（Ｂ）はロール氏の裏面を示す図である。図４（Ａ）は、発券部によって発券されたキップの表面、および裏面を示す図であり、図４（Ｂ）は、発券部によって発券された１日乗車券の表面、および裏面を示す図である。発券部１０４には、ロール紙１１０がセットされている。発券部１０４は、ロール紙１１０の一方の面（以下、表面と言う。）に乗車券情報を示す２次元コード２や、文字等を印字ヘッド１１１により形成する。２次元コード２は、例えばＱＲコード（登録商標）である。また、発券部１０４は、２次元コード２を印字した部分をカッタ１１２でカットし、乗車券１として発券口に放出する。２次元コード２が、この発明で言う第１の情報コードに相当する。２次元コード２が示す乗車券情報は、乗車券１の属性である。乗車券１の属性は、乗車券１を識別する識別情報、乗車券の種別（キップ、１日乗車券等）を示す種別情報、乗車券の有効期間を示す有効期間情報、乗車券の有効区間を示す有効区間情報等である。乗車券情報は、発券された乗車券１固有の情報である。
【００３０】
また、ロール紙１１０は、図３（Ｂ）に示すように、２次元コード３が略一定間隔で予め裏面に印刷されている。この２次元コード３は、乗車券１の裏面であることを示す情報である。２次元コード３が、この発明で言う第２の情報コードに相当する。２次元コード３は、２次元コード２が示す乗車券情報でないことを示す情報（ここでは、裏面を示す情報と言う。）であれば、どのような情報であってもよい。また、各２次元コード３が示す情報は、同一であってもよいし、異なっていてもよい。この２次元コードは、後述するが、利用者が視認しづらいインクによって形成されている。図３（Ｂ）に示すＬ１は、発券する最小サイズの乗車券１（この例では、キップ１ａ）の大きさを示し、図３（Ｂ）に示すＬ２は、発券する最大サイズの乗車券１（この例では、１日乗車券１ｂ）の大きさを示している。ロール紙１１０の巻回方向における２次元コード３の間隔は、（Ｌ１／２）以下である。また、図３（Ｂ）に示すように、この例では、３つの２次元コード３を、ロール紙１１０の巻回方向に直交する方向に並べて印刷している。したがって、ロール紙１１０の巻回方向におけるカット位置に影響されることなく、券売機１０が発券した乗車券１の裏面には、すくなくとも３つ以上の２次元コード３が印刷されている。
【００３１】
なお、２次元コード３は、ロール紙１１０の巻回方向に直交する方向に１つ以上印刷されていればよい。
【００３２】
ここで、２次元コード２と、２次元コード３とについて説明する。
【００３３】
２次元コード２、３は、公知のように、光の反射特性が異なる２つのモジュールをコード領域に配列したものである。コード領域は、略正方形である。２次元コード２、３は、コード領域の３つの角に、コード領域の向き（２次元コード２、３の向き）を検知するためのシンボルを形成している。コード領域には、２次元コード２、３の情報に応じて、光の反射特性が異なる２つのモジュールが配列されている。モジュールは、２次元コード２、３を構成する最小の単位セルであり、１つのモジュールが１ビットのデータに相当する。２次元コード２、３の情報の読み取りは、コード領域におけるモジュールの配列を読み取ることにより行える。具体的には、２次元コード２、３を撮像した撮像画像を処理し、コード領域におけるモジュールの配列を読み取ることにより、２次元コード２、３が示す情報を読み取ることができる。
【００３４】
なお、シンボルも、複数のモジュールによって構成されている。
【００３５】
また、２次元コード２は、可視光の光（この発明で言う第１の波長の光）が照射されたとき、照射された可視光の光を反射するインクによって形成されている。したがって、利用者は、乗車券１の表面に印刷（形成）されている２次元コード２を視認することができる。また、２次元コード２は、可視光でない赤外光（この発明で言う第２の波長の光）が照射されたときも、照射された赤外光を反射する。したがって、２次元コード２は、可視光、および赤外光のいずれの光を照射しても、２次元コード２を撮像することができる。すなわち、２次元コード２は、可視光、および赤外光のいずれの光を照射したときの撮像画像であっても、その撮像画像を処理することで情報を読み取ることができる。
【００３６】
一方、２次元コード３は、可視光の光が照射されたとき、照射された可視光の反射を妨げるインクによって形成されている。したがって、乗車券１の裏面に形成されている２次元コード３は、利用者とって視認しづらい（図３、図４では、説明の便宜上、２次元コード３を視認できるように図示しているだけである。）。また、２次元コード３は、赤外光が照射されたとき、照射された赤外光を反射する。したがって、２次元コード３は、可視光を照射しても２次元コード３を撮像することはできないが、赤外光を照射することにより、２次元コード３を撮像することができる。すなわち、２次元コード３は、可視光を照射したときの撮像画像を処理しても情報を読み取ることはできないが、赤外光を照射したときの撮像画像を処理することで情報を読み取ることができる。
【００３７】
また、乗車券１に印刷された２次元コード２が、コピー等により不正に複製されるのを防止するために、図５に示す被覆部１１を形成してもよい。図５（Ａ）、（Ｂ）に示す２次元コード２は、図４（Ａ）、（Ｂ）に示す２次元コード２と同様に、可視光、および赤外光のいずれの光が照射されても、照射された光を反射する。
【００３８】
被覆部１１は、可視光が照射されたときに、この被覆部１１が設けられている領域に位置するモジュールからの反射光の透過を妨げる。また、被覆部１１は、赤外光が照射されたときに、被覆部１１が設けられている領域に位置するモジュールからの反射光を透過させる。例えば、被覆部１１は、発券部１０４が、このような特性を有するインク（例えば、赤外線透過インク）を塗布して形成した領域である。被覆部１１が、この発明で言う第１の被覆部に相当する。被覆部１１は、コード領域の３つの角に形成されているシンボルに重ならないように形成している。
【００３９】
したがって、被覆部１１を形成した２次元コード２は、可視光を照射して撮像すると、被覆部１１に重なっている部分のモジュールが撮像されない（被覆部１１に重なっていない部分のモジュールは撮像される。）。一方、被覆部１１を形成した２次元コード２は、赤外光を照射して撮像すると、被覆部１１に重なっている部分のモジュールが撮像される（被覆部１１に重なっていない部分のモジュールも撮像される。）。
【００４０】
コード領域における被覆部１１の大きさは、可視光を照射して撮像した２次元コード２の情報の読み取りに失敗する大きさであればよい。コード領域における被覆部１１は、２次元コード２の誤り訂正レベルの復元能力では復元できない大きさ、例えばコード領域の３０％以上の大きさである。
【００４１】
この被覆部１１を形成した２次元コード２は、可視光を照射して撮像した撮像画像を処理しても情報を読み取ることはできないが、赤外光を照射して撮像した撮像画像を処理することで情報を読み取ることができる。
【００４２】
したがって、被覆部１１を形成した２次元コード２は、コピー等により不正に複製されるのを防止することができる。
【００４３】
また、ロール紙１１０の裏面に形成されている２次元コード３についても、上述の被覆部１１と同様の光学特性を有する被覆部１２を形成してもよい。図６（Ａ）は、被覆部１２が、裏面に形成されている２次元コード３のコード領域の３つの角に形成されているシンボルに重ならないように形成した例である。図６（Ｂ）は、被覆部１２を裏面全体に形成した例である。図６（Ｃ）は、「反対面にある２次元コードを翳してください」という案内メッセージにかかる文字列が抜き文字になるように、被覆部１２を裏面の略全体に形成した例である。図６（Ｂ）、（Ｃ）は、２次元コード３を被覆部１２で覆っている（２次元コード３は、図４（Ｂ）に示すように形成されている。）。
【００４４】
したがって、図６（Ａ）、（Ｂ）、（Ｃ）に示す被覆部１２を設けた場合も、２次元コード３は、可視光を照射したときの撮像画像を処理しても情報を読み取ることはできないが、赤外光を照射したときの撮像画像を処理することで情報を読み取ることができる。
【００４５】
このように、乗車券１は、利用者にとって、表面に形成されている２次元コード２が視認でき、裏面に形成されている２次元コード３が視認しづらいので、読取領域に翳すべき乗車券１の面を誤認する利用者の増加を抑えられる。また、乗車券１の裏面を読取領域に翳した利用者に対する案内も行える。
【００４６】
次に、自動改札機５について説明する。この例にかかる自動改札機５は、駅の改札口に設置される。ここでは、駅構内に入場する利用者に対して改札処理を行う入場用ユニットと、駅構内から出場する利用者に対して改札処理を行う出場用ユニットと、を対向させて配置し、入場用ユニットと出場用ユニットの間に形成される改札通路における利用者の通行方向を双方向（駅構内に入場する方向、および駅構内から出場する方向）にした自動改札機５を例にして説明する。
【００４７】
図７は、自動改札機の主要部の構成を示すブロック図である。図８は、出場用ユニットの駅構内から出場する利用者にとっての改札通路入口付近の拡大図である。
【００４８】
なお、駅構内に入場する利用者が所持する乗車券を受け付ける入場用ユニットも図８に示す出場用ユニットと略同じであるが、２次元コード２、３が形成された乗車券１を回収する構成を備えていない点で相違する。
【００４９】
自動改札機５は、制御部５０と、読取ユニット５１（５１ａ、５１ｂ）と、ＩＣ券情報読取部５２（５２ａ、５２ｂ）と、回収部５３と、利用者検知部５４と、表示部５５と、扉開閉部５６と、通信部５７と、を備えている。
【００５０】
制御部５０は、自動改札機５本体の動作を制御する。
【００５１】
読取ユニット５１（５１ａ、５１ｂ）は、改札通路を通行する利用者が読取領域内に翳した乗車券１に形成されている２次元コード２、３を光学的に読み取る。読取ユニット５１ａは出場用ユニットに取り付けている。また、読取ユニット５１ｂは、図示していない入場用ユニットに取り付けている。この読取ユニット５１の詳細については後述するが、この読取ユニット５１が、この発明で言う情報媒体処理装置に相当する。
【００５２】
ＩＣ券情報読取部５２（５２ａ、５２ｂ）は、改札通路を通行する利用者が無線通信エリア内に翳した非接触ＩＣ券との無線通信により、この非接触ＩＣ券に対する乗車券情報の読み取りや、乗車券情報の書き込みを行う。ＩＣ券情報読取部５２ａは、出場用ユニットに取り付けている。また、ＩＣ券情報読取部５２ｂは、入場用ユニットに取り付けている。
【００５３】
読取ユニット５１ａの撮像領域と、ＩＣ券情報読取部５２ａの無線通信領域とは、図８に示すように、駅構内から出場する利用者にとっての改札通路の入口付近に設けている。また、読取ユニット５１ｂの撮像領域と、ＩＣ券情報読取部５２ｂの無線通信領域とは、駅構内に入場する利用者にとっての改札通路の入口付近に設けている。
【００５４】
回収部５３は、今回の使用で、使用済みになった乗車券１を回収する。この回収部５３は、出場用ユニットに設けられ、入場用ユニットに設けられていない。回収部５３は、乗車券回収口５３ａに設けられたシャッタを開閉する。乗車券回収口５３ａは、読取ユニット５１ａの撮像領域の近くに設けている。
【００５５】
利用者検知部５４は、改札通路に沿って配置した複数のセンサにより、改札通路内に位置する利用者の位置を検知する。利用者検知部５４は、改札通路を挟んで対向させて配置した一方のユニットに、この改札通路に沿って取り付けた複数の発光素子と、他方のユニットに、各発光素子が対向する位置に取り付けた複数の受光素子と、を有する。利用者検知部５４は、発光素子から照射されている光を受光していない受光素子があれば、その受光素子に対応する位置に利用者がいると判断する。
【００５６】
表示部５５は、改札通路を通行している利用者に対してメッセージを表示する表示器を２つ備えている。一方の表示器は、出場用ユニットに取り付けており、駅構内から出場する利用者に対するメッセージを表示する。他方の表示器は、入場用ユニットに取り付けており、駅構内に入場する利用者に対するメッセージを表示する。この表示部５５が、この発明で言う案内部に相当する。
【００５７】
扉開閉部５６は、改札通路における利用者の通行を許可するときに、その利用者の出口側に設けた扉を開する。また、扉開閉部５６は、改札通路における利用者の通行を許可しないときに、その利用者の出口側に設けた扉を閉する。図８に示す扉５６ａは、駅構内に入場する利用者に対して開閉する扉である。
【００５８】
通信部５７は、図示していない駅サーバ等との間におけるデータ通信を制御する。
【００５９】
ここで、読取ユニット５１（５１ａ、５１ｂ）について説明する。読取ユニット５１ａ、５１ｂは同じ構成である。図９は、読取ユニットの主要部の構成を示すブロック図である。読取ユニット５１は、制御部６０と、第１の照射部６１と、第２の照射部６２と、撮像部６３と、読取部６４と、出力部６５と、を備えている。
【００６０】
制御部６０は、読取ユニット５１本体各部の動作を制御する。制御部６０は、読取ユニット５１本体の動作を制御するコンピュータ（プロセッサ）を有し、このコンピュータが、この発明にかかる情報媒体処理方法を実行する。また、この発明にかかる情報媒体処理プログラムは、制御部６０が有するコンピュータにインストールされるプログラムである。制御部６０が、この発明で言う判定部に相当する構成を有する。
【００６１】
第１の照射部６１は、読取領域に対して可視光を照射する。第２の照射部６２は、読取領域に対して赤外光を照射する。撮像部６３は、読取領域を撮像する。
【００６２】
読取部６４は、撮像部６３が撮像した読取領域の画像を処理し、この画像に撮像されている２次元コード２、３のコード領域におけるモジュールの配列を読み取ることにより、撮像されている２次元コード２、３が示す情報を読み取る。
【００６３】
出力部６５は、読取部６４が読み取った２次元コード２、３が示す情報を自動改札機５の制御部５０に出力する。
【００６４】
次に、自動改札機５における改札処理の動作について説明する。この例では、乗車券１の表面には、乗車券情報を示す２次元コード２とともに、図５に示した２次元コード２の一部を覆う被覆部１１が形成されている。また、乗車券１の裏面には、裏面であることを示す２次元コード３が形成されているが、図６（Ａ）、（Ｂ）、（Ｃ）に示した被覆部１２については、形成されていてもよいし、形成されていなくてもよい。
【００６５】
上述したように、乗車券１は、乗車券情報を示す２次元コード２の一部が被覆部１１によって覆われているので、この２次元コード２がコピー等により不正に複製されるのを防止できる。すなわち、コピー等により不正に複製された２次元コード２が乗車券として不正利用されるのを防止できる。
【００６６】
図１０は、自動改札機における改札処理を示すフローチャートである。自動改札機５は、読取ユニット５１（５１ａ、５１ｂ）において、２次元コード２、３の読取処理を行う（ｓ１）。ｓ１にかかる２次元コードの読取処理の詳細については後述する。読取ユニット５１は、ｓ１で２次元コード２が示す乗車券情報を読み取ると、今回読み取った乗車券情報を制御部５０に出力する。また、読取ユニット５１は、ｓ１で２次元コード３が示す裏面であることを示す情報を読み取ると、乗車券１の裏面が読取領域に翳された旨を制御部５０に出力する。
【００６７】
制御部５０は、読取ユニット５１から乗車券情報が入力されると（ｓ２）、入力された乗車券情報を用いて、改札通路における利用者の通行可否を判定する（ｓ３）。ｓ３における通行可否の判定は、公知の自動改札機と同様に、乗車券１の有効期間、有効区間等に基づいて行う。
【００６８】
制御部５０は、ｓ３における通行可否判定において、改札通路における利用者の通行を許可しないと判定すると、この利用者にとっての改札通路の出口側に位置する扉を閉し（ｓ４、ｓ６）、ｓ１に戻る。また、制御部５０は、ｓ３における通行可否判定において、改札通路における利用者の通行を許可すると判定すると、この利用者にとっての改札通路の出口側に位置する扉を開し（ｓ４、ｓ５）、ｓ１に戻る。また、ｓ５では、利用者から乗車券１を回収する必要があれば、乗車券回収口５３ａに設けたシャッタを一時的に開し、利用者による乗車券１の投入を受け付けた後、このシャッタを閉する。
【００６９】
また、制御部５０は、ｓ２で読取ユニット５１から入力されたのが乗車券情報ではなく、読取領域に翳されたのが乗車券１の裏面である旨の入力であれば、利用者に対して乗車券１の反対面を読取領域に翳すことを促す案内を行い（ｓ２、ｓ７）、ｓ１に戻る。ｓ７では、表示部５５が、表示器に案内メッセージを表示してもよいし、音声メッセージで案内してもよい。
【００７０】
なお、図１０では、乗車券がＩＣカードである場合の処理を省略している。乗車券がＩＣカードである場合の処理については、公知の自動改札機と同様であるので、ここでは説明を省略する。
【００７１】
次に、ｓ１にかかる２次元コード読取処理について説明する。図１１は、２次元コード読取処理を示すフローチャートである。読取ユニット５１が、この２次元コード読取処理を実行する。制御部６０は、前回のｓ１２の処理の実行から一定時間（５０ｍｓｅｃ〜１００ｍｓｅｃ程度）以上経過しているかどうかを判定する（ｓ１１）。制御部６０は、前回のｓ１２の処理の実行から一定時間以上経過していると、第１の撮像処理を行う（ｓ１２）。この第１の撮像処理は、第１の照射部６１が読取領域に照射する可視光を消灯し、第２の照射部６２が読取領域に照射する赤外光を点灯した状態で、撮像部６３が読取領域を撮像する処理である。ｓ１２では、乗車券１が読取領域に翳されていれば、翳されている面が表面、または裏面のいずれであっても、２次元コード２、３が撮像部６３によって撮像され、読取領域に乗車券１が翳されていなければ、２次元コード２、３が撮像部６３によって撮像されない。
【００７２】
読取部６４は、撮像部６３がｓ１２で撮像した画像に、２次元コードが撮像されているかどうかを検出し、２次元コードが撮像されていれば、その２次元コードが示す情報を読み取る（ｓ１３）。ｓ１３では、撮像部６３がｓ１２で撮像した画像から、２次元コードの３つのシンボルを検出できると、２次元コードが撮像されていると判定する。言い換えれば、ｓ１３では、撮像部６３がｓ１２で撮像した画像から、２次元コードの３つのシンボルを検出できないと、２次元コードが撮像されていない（乗車券１が読取領域に翳されていない）と判定する。
【００７３】
制御部６０は、撮像部６３がｓ１２で今回撮像した画像に、２次元コードが撮像されていなければ、ｓ１１に戻る。
【００７４】
制御部６０は、撮像部６３がｓ１２で今回撮像した画像に、２次元コードが撮像されていると、この２次元コードが示す情報が乗車券１の裏面であることを示す情報であるかどうかを判定する（ｓ１４）。すなわち、制御部６０は、撮像部６３がｓ１２で今回撮像した画像に、２次元コード３が撮像されているかどうかを判定している。
【００７５】
制御部６０は、ｓ１４で乗車券１の裏面であることを示す情報であると判定すると、出力部６５において、その旨を自動改札機５の制御部５０に出力し（ｓ２０）、ｓ１１に戻る。自動改札機５の制御部５０は、読取ユニット５１から読取領域に翳されたのが乗車券１の裏面である旨の入力があると、上述したｓ７にかかる処理を行う。
【００７６】
また、制御部６０は、ｓ１４で乗車券１の裏面であることを示す情報でないと判定すると、第２の撮像処理を行う（ｓ１５）。この第２の撮像処理は、第１の照射部６１が読取領域に照射する可視光を点灯し、第２の照射部６２が読取領域に照射する赤外光を消灯した状態で、撮像部６３が読取領域を撮像する処理である。ｓ１５では、読取領域に乗車券１が翳されていても（翳されている面が表面、または裏面のいずれであっても）、読取部６４で２次元コード２、３が示す情報を読み取ることができない。
【００７７】
読取部６４は、撮像部６３がｓ１５で今回撮像した画像を読取部６４で処理し、２次元コードが示す情報の読み取りが行えると（ｓ１６）、今回読取領域に翳されたものが、コピー等により不正に複製された券や、乗車券でないものが翳されたと判断し、ｓ１１に戻る。すなわち、ｓ１５、ｓ１６にかかる処理は、コピー等により不正に複製された券の使用に対するセキュリティを確保するために実行している。
【００７８】
また、制御部６０は、撮像部６３がｓ１５で今回撮像した画像を読取部６４で処理し、２次元コードが示す情報を読み取ることができないと、再度第１の撮像処理を実行する（ｓ１７）。ｓ１７は、上述したｓ１２と同じ処理である。読取ユニット５１は、撮像部６３がｓ１７で撮像した画像から、２次元コードが示す情報を読み取ると（ｓ１８）、今回読み取った２次元コードが示す情報を乗車券情報として自動改札機５の制御部５０に出力し（ｓ１９）、ｓ１１に戻る。自動改札機５は、読取ユニット５１から乗車券情報の入力があると、上述したｓ３〜ｓ６にかかる処理を行う。
【００７９】
このように、この２次元コードの読取処理において、ｓ１５、およびｓ１６にかかる処理を実行することで、コピー等により不正に複製された券が使用されるのを防止できる。
【００８０】
また、利用者が誤って乗車券１の裏面を読取領域に翳したときには、その利用者に対して、乗車券１の反対面（表面）を翳すように案内することができる。
【００８１】
さらに、乗車券１の裏面には、利用者が視認しづらい２次元コード３を形成しているので、読取領域に翳すべき乗車券１の面を誤認する利用者の増加を抑えられる。
【００８２】
なお、ｓ１７、ｓ１８にかかる処理をなくし、ｓ１９では、撮像部６３がｓ１２で撮像した画像に撮像されていた２次元コードが示す情報を乗車券情報として自動改札機５の制御部５０に出力してもよい。この例では、ｓ１７、ｓ１８にかかる処理は、コピー等により不正に複製された券がｓ１２の第１の撮像処理において読取領域内に翳され、且つｓ１５の第２の撮像処理において読取領域外に移動させられた場合に、適正な乗車券１であると誤判定するのを防止するために設けている。
【００８３】
また、図１１に示した２次元コード読取処理は、図１２に示す処理に置き換えてもよい。図１２に示すｓ３１〜ｓ３３の処理は、図１１に示したｓ１１〜ｓ１３と同じである。
【００８４】
読取ユニット５１の制御部６０は、読取部６４がｓ３３で検出できた２次元コードが示す情報を読み取ることができると、ｓ３４〜ｓ３７にかかる処理を実行する。ｓ３４〜ｓ３７にかかる処理は、図１１に示したｓ１５〜ｓ１８と同じである。すなわち、この例にかかる読取ユニット５１は、ｓ３３とｓ３４との間で、上述したｓ１４にかかる処理を実行しない。
【００８５】
また、制御部６０は、読取部６４がｓ３７で検出できた２次元コードが示す情報を読み取ることができると、読み取った情報が乗車券１の裏面であることを示す情報であるか、乗車券情報であるかを判定する（ｓ３８）。ｓ３８は、図１１に示したｓ１４と同じ処理である。制御部６０は、ｓ３８で裏面を示す情報であると判定すると、その旨を自動改札機５の制御部５０に出力し（ｓ４０）、ｓ３１に戻る。
【００８６】
また、制御部６０は、ｓ３８で乗車券情報であると判定すると、今回読み取った２次元コード２の情報を乗車券情報として自動改札機５の制御部５０に出力し（ｓ３９）、ｓ３１に戻る。
【００８７】
この図１２に示す２次元コード読取処理も、図１１に示した２次元コード読取処理と同様の効果を奏する。また、図１２においては、ｓ３２、およびｓ３３にかかる処理を不要にしてもよい。この場合には、ｓ３４にかかる前回の第２の撮像処理を行ってからの経過時間を、ｓ３１で判定すればよい。
【００８８】
さらに、２次元コード読取処理は、図１３に示す処理にしてもよい。図１３に示すｓ５１〜ｓ５３の処理は、図１１に示したｓ１１〜ｓ１３、図１２に示したｓ３１〜ｓ３３と同じである。
【００８９】
制御部６０は、読取部６４がｓ５３で検出できた２次元コードが示す情報を読み取ることができると、読み取った情報が乗車券１の裏面であることを示す情報であるか、乗車券情報であるかを判定する（ｓ５４）。ｓ５４は、図１１に示したｓ１４や、図１２に示したｓ３８と同じ処理である。制御部６０は、ｓ５４で裏面を示す情報であると判定すると、その旨を自動改札機５の制御部５０に出力し（ｓ５６）、ｓ５１に戻る。
【００９０】
また、読取ユニット５１は、ｓ５４で乗車券情報であると判定すると、今回読み取った２次元コード２の情報を乗車券情報として自動改札機５の制御部５０に出力し（ｓ５５）、ｓ５１に戻る。
【００９１】
この図１３に示す処理では、上述した第２の撮像処理を行わないので、処理負荷を低減できる。また、読取ユニット５１は、第１の照射部６１を必要としないので、構成を簡単にできる。
【００９２】
また、上記の例では、読取ユニット５１において、撮像部６３が撮像した読取領域の撮像画像を、読取部６４で処理し、撮像画像に撮像されている２次元コード２、３の情報を読み取るとしたが、撮像部６３が撮像した読取領域の撮像画像を処理し、撮像されている２次元コード２、３の情報を読み取る処理を自動改札機５側で行う構成にしてもよい（この発明で言う判定部にかかる構成を自動改札機５側に設けてもよい。）。この場合、読取ユニット５１は、ｓ３６、またはｓ５２で撮像した読取領域の撮像画像を自動改札機５の制御部５０に出力すればよい。
【００９３】
また、被覆部１１を形成していない乗車券１の場合には、２次元コード２、３の読取処理を、図１３に示した処理で実行すればよい。
【００９４】
また、読取ユニット５１が、乗車券１の裏面が読取領域に翳されたと判定したときに、反対面を翳す案内を行う構成を備えてもよい（この発明で言う案内部にかかる構成を読取ユニット５１側に設けてもよい。）。
【００９５】
また、上記の例では、赤外光を用いる例を示したが、紫外光を用いてもよい。この場合、２次元コード２、３、および被覆部１１、１２については、インクの光学特性を使用する紫外光に応じて決めればよい。
【００９６】
また、上記の例では、この発明にかかる情報媒体を乗車券１として説明したが、乗車券１以外の用途にも適用できる。例えば、情報媒体は、セキュリティルームへの入退室に使用するＩＤ媒体であってもよい。この場合、この発明にかかる情報媒体処理装置は、入退室管理装置に適用される。
【００９７】
また、この発明にかかる情報媒体は、シート状の媒体や、カード状の媒体に限らず、立体形状（例えば、６面体や８面体）であってもよい。この場合には、１つ以上の面に第１の情報コードを形成し、１つ以上の面に第２の情報コードを形成すればよい。但し、第１の情報コード、および第２の情報コードは、同一面に形成しない。
【００９８】
また、この発明にかかる情報媒体は、リストバンドにしてもよい。この場合、第１の情報コード、および第２の情報コードは、同一面に形成すればよい。
【００９９】
また、情報コードは、２次元コードに限らず、１次元のバーコード等であってもよいし、他の情報記号であってもよい。
【符号の説明】
【０１００】
１…乗車券
１ａ…キップ
２、３…２次元コード
５…自動改札機
１１、１２…被覆部
１２…被覆部
５０…制御部
５１（５１ａ、５１ｂ）…読取ユニット
６０…制御部
６１…第１の照射部
６２…第２の照射部
６３…撮像部
６４…読取部
６５…出力部
【図１】
2017224122.tif 000003
【図２】
2017224122.tif 000004
【図３】
2017224122.tif 000005
【図４】
2017224122.tif 000006
【図５】
2017224122.tif 000007
【図６】
2017224122.tif 000008
【図７】
2017224122.tif 000009
【図８】
2017224122.tif 000010
【図９】
2017224122.tif 000011
【図１０】
2017224122.tif 000012
【図１１】
2017224122.tif 000013
【図１２】
2017224122.tif 000014
【図１３】
2017224122.tif 000015